(57)【要約】      （修正有）【課題】Ｘ字形フレーム構造を有するキーボード用キースイッチを提供する。【解決手段】ベース１１０、静的接触プレート、動的接触プレート、上蓋１４０、動的接触プレートの移動を制御して静的接触プレートに接触する押えキー１５０、復帰バネ１６０を含む。Ｘ字形フレーム構造と収容部１８０を更に含み、Ｘ字形フレーム構造は第１連結フレーム１７１と第２連結フレーム１７２を含み、第１連結フレームと第２連結フレームはそれぞれ回転可能に収容部に嵌め込まれている。第１連結フレームは第１平衝ロッドと第１平衝ロッドを覆う２つの第１連結部１７１ｂを含み、第２連結フレームは第２平衝ロッドと第２平衝ロッドを覆う２つの第２連結部１７２ｂを含む。２つの第１連結部の互いに背中合わせる面にはそれぞれ凸柱が設けられ、２つの第２連結部の対向する面にはそれぞれ円孔が設けられ、凸柱は円孔内に挿設されることにより、第１連結フレームの両端と第２連結フレームの両端が組合されて２つのＸ字形構造を形成する。【選択図】図２
0003207387.tif 000002
【実用新案登録請求の範囲】
【請求項１】
ベース、静的接触プレート、動的接触プレート、上蓋、動的接触プレートの運動を制御して静的接触プレートに接触する押えキー、押えキーが押圧されて復帰される復帰バネを含む、Ｘ字形フレーム構造を有するキーボード用キースイッチであって、
前記上蓋はベースに係合され、前記静的接触プレートと動的接触プレートはそれぞれベースに設けられ、前記押えキーの一端は上下移動可能にベースに設けられ、他端は、前記上蓋を貫通して設けられ、前記復帰バネの上下両端はそれぞれ押えキーとベースに当接しており、
前記押えキーの傾斜を回避するＸ字形フレーム構造とベースに設けられて前記Ｘ字形フレーム構造を収容する収容部を更に含み、
前記Ｘ字形フレーム構造は第１連結フレームと第２連結フレームを含み、前記第１連結フレームと第２連結フレームはそれぞれ回転可能に収容部に嵌め込まれており、
前記第１連結フレームは第１平衝ロッドと第１平衝ロッドを覆う２つの第１連結部を含み、前記第２連結フレームは第２平衝ロッドと第２平衝ロッドを覆う２つの第２連結部を含み、２つの前記第１連結部の互いに背中合わせる面にはそれぞれ凸柱が設けられ、２つの前記第２連結部の対向する面にはそれぞれ円孔が設けられ、前記凸柱は円孔内に挿設されることにより、第１連結フレームの両端と第２連結フレームの両端が組合されて２つのＸ字形構造を形成しており、
前記収容部は、ベースの相対両側に設けられる第１回転溝、ベースの他の相対両側に設けられる第２回転溝を含む、ことを特徴とするＸ字形フレーム構造を有するキーボード用キースイッチ。
【請求項２】
前記第１平衝ロッドは第１ロット体と２つの第１延伸アームを含み、２つの前記第１延伸アームはそれぞれ第１ロッド体の両端から一体に湾曲して延伸され、２つの第１延伸アームの末端はそれぞれ湾曲して第１連結アームを延伸しており、２つの前記第１連結部は互いに背中合わせであり、２つの前記第１連結部はそれぞれ２つの第１連結アームを覆って設けられており、
第２平衝ロッドは第２ロット体と２つの第２延伸アームを含み、２つの前記第２延伸アームはそれぞれ第２ロット体の両端から一体に湾曲して延伸され、２つの第２延伸アームの末端はそれぞれ湾曲して第２連結アームを延伸し、２つの第２連結アームはそれぞれ対向し、２つの前記第２連結部はそれぞれ２つの第２連結アームを覆って設けられ、前記第２ロット体の中央には湾曲部が設けられており、
前記第１ロット体は回転可能に第１回転溝内に嵌め込まれ、かつ２つの第１連結アームはそれぞれ回転可能に対応する第２回転溝内に嵌め込まれ、前記第２ロット体は回転可能に第１回転溝内に嵌め込まれ、かつ２つの第２連結アームはそれぞれ回転可能に対応する第２回転溝内に嵌め込まれている、ことを特徴とする請求項１に記載のＸ字形フレーム構造を有するキーボード用キースイッチ。
【請求項３】
前記第１連結部は押えキー内に位置し、前記第２連結部は押えキーの外部に位置する、ことを特徴とする請求項２に記載のＸ字形フレーム構造を有するキーボード用キースイッチ。
【請求項４】
前記第１連結部は押えキー内に位置し、前記第２連結部は押えキー内に位置する、ことを特徴とする請求項２に記載のＸ字形フレーム構造を有するキーボード用キースイッチ。
【請求項５】
前記第１連結部は押えキーの外部に位置し、前記第２連結部は押えキーの外部に位置する、ことを特徴とする請求項２に記載のＸ字形フレーム構造を有するキーボード用キースイッチ。
【請求項６】
前記第１連結部は押えキーの外部に位置し、前記第２連結部は押えキー内に位置する、ことを特徴とする請求項２に記載のＸ字形フレーム構造を有するキーボード用キースイッチ。
【請求項７】
前記上蓋とベースは係合して第１収容室と第２収容室を形成し、前記静的接触プレートと動的接触プレートは第１収容室に位置し、前記押えキーと復帰バネは第２収容室に位置しており、前記第１平衝ロッドと第２平衝ロッドは第２収容室に位置する、ことを特徴とする請求項１に記載のＸ字形フレーム構造を有するキーボード用キースイッチ。
【考案の詳細な説明】
【技術分野】
【０００１】
本考案はキーボード用キースイッチの技術分野に関し、特にＸ字形フレーム構造を有するキーボード用キースイッチに関する。
【背景技術】
【０００２】
キーボード用キースイッチとは、その名の通り、キーボード上に取り付けて応用するスイッチのことである。この種のスイッチの主な構造は、ベース、上蓋、静的接触プレート、動的接触プレート、押えキーを含み、該上蓋とベースは、収容室を囲んで形成する。該静的接触プレート、動的接触プレート、押えキーは、該収容室内に設置され、かつ該押えキーの一端は、収容室の外部に露出する。押えキーを押して操作することで、押えキーを上下に動かすことで、押えキーが動的接触プレートに作用し、更に動的接触プレートと静的接触プレートが接触または分離して、キーボードのオンとオフを実現する。
従来のキーボード用キースイッチは、多くは押えキー内で下へ沿って突出する位置決め柱が、ベースの開口で垂直伸縮して、回路の接続ポイントをトリガーし、このようなキーボード用キースイッチの押えキーの位置決め柱とベースの接触面が小さいため、押えキーは押圧過程で傾斜または係止しやすくなる。押えキーは常に係止状態が発生して、使用が不順調で、かつ不安定になる一方、操作する際に、指のタッチ感が悪くて、ユーザーの使用要件を満たさない。更に、押えキー部材は案内柱形であるため、全体製品の厚さが厚く、押えキー部材はキーキャップの底部中央に取り付けられて、手指がキーキャップの片側エッジに作用するとき、押えキーは安定して下へ押圧されず、静的接触プレートと動的接触プレートの導通が実現されず、非常に使用しにくい。
【考案の概要】
【考案が解決しようとする課題】
【０００３】
前記問題点を解決するために、本考案は、押えキーの傾斜と係止を回避し、かつ操作しやすく、使用しやすく、かつ指でのタッチ感がよいＸ字形フレーム構造を有するキーボード用キースイッチを提供する。  
【課題を解決するための手段】
【０００４】
本考案の採用する技術手段が以下になる。ベース、静的接触プレート、動的接触プレート、上蓋、動的接触プレートの移動を制御して静的接触プレートに接触する押えキー、押えキーが押圧された後復帰される復帰バネを含む。前記上蓋はベースに係合され、前記静的接触プレートと動的接触プレートはそれぞれベースに設けられ、前記押えキーの一端は上下移動可能にベースに設けられ、他端は前記上蓋に貫通して設けられ、前記復帰バネの上下両端はそれぞれ押えキーとベースに当接する。前記押えキーの傾斜を回避するＸ字形フレーム構造とベースに設けられて前記Ｘ字形フレーム構造を収容する収容部を更に含む。前記Ｘ字形フレーム構造は第１連結フレームと第２連結フレームを含み、前記第１連結フレームと第２連結フレームはそれぞれ回転可能に収容部に嵌め込まれている。前記第１連結フレームは第１平衝ロッドと第１平衝ロッドを覆う２つの第１連結部を含み、前記第２連結フレームは第２平衝ロッドと第２平衝ロッドを覆う２つの第２連結部を含む。２つの前記第１連結部の互いに背中合わせる面にはそれぞれ凸柱が設けられ、２つの前記第２連結部の対向する面にはそれぞれ円孔が設けられ、前記凸柱は円孔内に挿設されることにより、第１連結フレームの両端と第２連結フレームの両端が組合されて２つのＸ字形構造を形成する。前記収容部は、ベースの相対両側に設けられる第１回転溝、ベースの他の相対両側に設けられる第２回転溝を含む。
【０００５】
上記の技術手段の改善として、前記第１平衝ロッドは第１ロット体と２つの第１延伸アームを含み、２つの第１延伸アームはそれぞれ第１ロット体の両端から一体に湾曲して延伸され、２つの第１延伸アームの末端はそれぞれ湾曲して第１連結アームを延伸しており、２つの第１連結アームは互いに背中合わせであり、２つの前記第１連結部はそれぞれ２つの第１連結アームを覆って設けられている。第２平衝ロッドは第２ロット体と２つの第２延伸アームを含み、２つの第２延伸アームはそれぞれ第２ロット体の両端から一体に湾曲して延伸され、２つの第２延伸アームの末端はそれぞれ湾曲して第２連結アームを延伸している。２つの第２連結アームはそれぞれ対向し、２つの第２連結部はそれぞれ２つの第２連結アームを覆って設けられ、前記第２ロット体の中央には湾曲部が設けられている。前記第１ロット体は回転可能に第１回転溝内に嵌め込まれ、かつ２つの第１連結アームはそれぞれ回転可能に対応する第２回転溝内に嵌め込まれている。前記第２ロット体は回転可能に第１回転溝内に嵌め込まれ、かつ２つの第２連結アームはそれぞれ回転可能に対応する第２回転溝内に嵌め込まれている。
【０００６】
上記の技術手段の改善として、前記第１連結部は押えキー内に位置し、前記第２連結部は押えキーの外部に位置する。
【０００７】
上記の技術手段の改善として、前記第１連結部は押えキー内に位置し、前記第２連結部は押えキー内に位置する。
【０００８】
上記の技術手段の改善として、前記第１連結部は押えキーの外部に位置し、前記第２連結部は押えキーの外部に位置する。
【０００９】
上記の技術手段の改善として、前記第１連結部は押えキーの外部に位置し、前記第２連結部は押えキー内に位置する。
【００１０】
上記の技術手段の改善として、前記上蓋とベースは係合して第１収容室と第２収容室を形成する。前記静的接触プレートと動的接触プレートは第１収容室に位置し、前記押えキーと復帰バネは第２収容室に位置する。前記第１平衝ロッドと第２平衝ロッドは第２収容室に位置する。
【考案の効果】
【００１１】
１、前記押えキーの傾斜を回避するＸ字形フレーム構造を設けることにより、Ｘ字形フレーム構造の第１連結フレームと第２連結フレームを通じて押えキーを位置決めし、かつ第１連結フレームの両端と第２連結フレームの両端が組合されて２つのＸ字形構造を形成する。押えキーの４つの角部を押圧するとき、２つのＸ字形構造は押えキーの中心軸を常にベースの中心軸に垂直させるため、押圧過程で、押えキーは傾斜または係止されにくくなり、キースイッチを押圧するとき、操作しやすく、タッチ感が順調で、指でのタッチ感がよいことを保証する。
【００１２】
２、第１連結フレームと第２連結フレームは対称になって押えキーの両側に設けられている。斜めに押えキーを押圧するとき、第１連結フレームの第１平衝ロッドと第２連結フレームの第２平衝ロッドの回転により、傾斜方向での押圧分岐力を無くし、更に押えキーの傾斜または係止を回避して、使用における柔軟性を保証する。
【００１３】
３、第１連結フレームの第１平衝ロッドと第２連結フレームの第２平衝ロッドは２つの連結アームを通じて回転可能、かつ往復可能に押えキーの両側に設けられている。２つのロッド体がベースに設けられることにより、第１連結フレームと第２連結フレーム及び押えキーとベースの間の摩擦力が小さくなり、押えキーの傾斜を回避すると同時に、キースイッチの押圧操作が更に気楽で、更に使用における柔軟性を保証する。
【図面の簡単な説明】
【００１４】
【図１】本考案のＸ字形フレーム構造を有するキーボード用キースイッチの立体図である。
【図２】本考案のＸ字形フレーム構造を有するキーボード用キースイッチの分解図である。
【図３】本考案のＸ字形フレーム構造を有するキーボード用キースイッチの断面図である。
【図４】本考案のＸ字形フレーム構造を有するキーボード用キースイッチの平面図である。
【図５】本考案のＸ字形フレーム構造を有するキーボード用キースイッチの分解図である。
【考案を実施するための形態】
【００１５】
下記では図面を用いて本考案について更に詳細に説明する。
図１乃至図５は、それぞれ本考案の立体図、分解図、断面図、平面図、分解図である。Ｘ字形フレーム構造１７０を有するキーボード用キースイッチ１００は、ベース１１０、静的接触プレート１２０、動的接触プレート１３０、上蓋１４０、動的接触プレート１３０の動作を制御して静的接触プレート１２０に接触する押えキー１５０、押えキー１５０が押された後に復帰するための復帰バネ１６０を含む。
【００１６】
上蓋１４０はベース１１０に係合され、静的接触プレート１２０と動的接触プレート１３０はそれぞれベース１１０に設けられている。押えキー１５０の一端は上下移動可能にベース１１０に設けられ、他端は上蓋１４０を貫通して設けられており、復帰バネ１６０の上下両端はそれぞれ抑えキー１５０とベース１１０に当接する。押えキー１５０の傾斜を回避するＸ字形フレーム構造１７０と、ベースに設けられて前記Ｘ字形フレーム構造を収容する収容部１８０と、を更に含み、収容部１８０はベースの対向両側に設けられている第１回転溝１８１と、ベースの他の対向両側に設けられている第２回転溝１８２と、を含む。
【００１７】
Ｘ字形フレーム構造１７０は第１連結フレーム１７１と第２連結フレーム１７２を含む。第１連結フレーム１７１は第１平衝ロッド１７１ａと第１平衝ロッド１７１ａを覆う２つの第１連結部１７１ｂを含み、第２連結フレーム１７２は第２平衝ロッド１７２ａと第２平衝ロッド１７２ａを覆う２つの第２連結部１７２ｂを含む。２つの第１連結部１７１ｂの背中合わせる面にはそれぞれ凸柱１７１ｃが設けられ、２つの第２連結部１７２ｂの対向する面にはそれぞれ円孔１７２ｃが設けられている。凸柱１７１ｃが円孔１７２ｃ内に挿設されることにより、第１連結フレーム１７１の両端と第２連結フレーム１７２の両端は組合されて２つのＸ字形構造を形成する。
【００１８】
第１平衝ロッド１７１ａは第１ロット体１７１ａ１と２つの第１延伸アーム１７１ａ２を含み、２つの第１延伸アーム１７１ａ２はそれぞれ第１ロット体１７１ａ１の両端から一体に湾曲して延伸され、２つの第１延伸アーム１７１ａ２の末端はそれぞれ湾曲して第１連結アーム１７１ａ３を延伸しており、２つの第１連結アーム１７１ａ３は互いに背中合わせであり、２つの第１連結部１７１ｂはそれぞれ２つの第１連結アーム１７１ａ３を覆って設けられている。第２平衝ロッド１７２ａは第２ロット体１７２ａ１と２つの第２延伸アーム１７２ａ２を含み、２つの第２延伸アーム１７２ａ２はそれぞれ第２ロット体１７２ａ１の両端から一体に湾曲して延伸され、２つの第２延伸アーム１７２ａ２の末端はそれぞれ湾曲して第２連結アーム１７２ａ３を延伸している。２つの第２連結アーム１７２ａ３はそれぞれ対向し、２つの第２連結部１７２ｂはそれぞれ２つの第２連結アーム１７２ａ３を覆って設けられ、第２ロット体１７２ａ１の中央には湾曲部が設けられている。第１連結フレーム１７１と第２連結フレーム１７２は対称になって押えキー１５０とベース１１０の間に設けられ、第１ロット体１７１ａ１は回転可能に第１回転溝１８１内に嵌め込まれ、かつ２つの第１連結アーム１７１ａ３はそれぞれ回転可能に第２回転溝１８２内に嵌め込まれている。第２ロット体１７２ａ１は回転可能に第１回転溝１８１内に嵌め込まれ、かつ２つの第２連結アーム１７２ａ３はそれぞれ回転可能に第２回転溝１８２内に嵌め込まれている。
【００１９】
本実施例では、第１連結部１７１ｂは押えキー１５０内に位置し、第２連結部１７２ｂは押えキー１５０の外部に位置する。他の実施例では、第１連結部１７１ｂは押えキー１５０内に位置し、第２連結部１７２ｂは押えキー１５０内に位置する。または、第１連結部１７１ｂは押えキー１５０の外部に位置し、第２連結部１７２ｂは押えキー１５０の外部に位置する。または、第１連結部１７１ｂは押えキー１５０の外部に位置し、第２連結部１７２ｂは押えキー１５０内に位置する。
【００２０】
上蓋１４０の２つの対向側面には間隔を有して２つの係止歯１４１が設けられ、ベース１１０の２つの対向側面には２つの係止歯１４１の間に対応して外側に突出する突起１１１が形成される。係止歯１４１は突起１１１の両側を係止して設けられ、上蓋１４０とベース１１０は係止歯１４１と突起１１１を通じて互いに係合される。
【００２１】
上蓋１４０とベース１１０は係合して第１収容室と第２収容室を形成する。静的接触プレート１２０と動的接触プレート１３０は第１収容室に位置し、押えキー１５０と復帰バネ１６０は第２収容室に位置し、第１平衝ロッド１７１ａと第２平衝ロッド１７２ａは第２収容室に位置する。
【００２２】
押えキー１５０には案内孔１５１が設けられ、対応して、ベース１１０には案内柱１１２が設けられており、案内孔１５１は案内柱１１２の外側を覆って設けられて案内柱１１２に沿って上下運動する。 
【００２３】
静的接触プレート１２０には静的接触点、第１溶接脚１２２が設けられ、動的接触プレート１３０には動的接触点１３１と第２溶接脚１３２が設けられ、静的接触点１２１と動的接触点１３１は対応して設けられ、第１溶接脚１２２と第２溶接脚１３２はそれぞれベース１１０の外側に延伸する。 
【００２４】
押えキー１５０の傾斜を回避するＸ字形フレーム構造１７０を設けることにより、Ｘ字形フレーム構造１７０の第１連結フレーム１７１と第２連結フレーム１７２を通じて押えキー１５０を位置決めし、かつ第１連結フレーム１７１の両端と第２連結フレーム１７２の両端が組合されて２つＸ字形構造を形成する。押えキー１５０の４つの角部を押圧するとき、２つのＸ字形構造は押えキー１５０の中心軸を常にベース１１０の中心軸に垂直させるため、押圧過程で、押えキー１５０は傾斜または係止されにくくなり、キースイッチを押圧するとき、操作しやすく、タッチ感が順調で、指でのタッチ感がよいことを保証する。
【００２５】
第１連結フレーム１７１と第２連結フレーム１７２は対称になって押えキー１５０の両側に設けられている。斜めに押えキー１５０を押圧するとき、第１連結フレーム１７１の第１平衝ロッド１７１ａと第２連結フレームの第２平衝ロッド１７２ａの回転により、傾斜方向での押圧分岐力を無くし、更に押えキー１５０の傾斜または係止を回避して、使用における柔軟性を保証する。
【００２６】
第１連結フレーム１７１の第１平衝ロッド１７１ａと第２連結フレーム１７２の第２平衝ロッド１７２ａは２つの連結アームを通じて回転可能、かつ往復可能に押えキー１５０の両側に設けられている。２つのロッド体がベース１１０に設けられることにより、第１連結フレーム１７１と第２連結フレーム１７２及び押えキー１５０とベース１１０の間の摩擦力が小さくなり、押えキー１５０の傾斜を回避すると同時に、キースイッチの押圧操作が更に気楽で、更に使用における柔軟性を保証する。
【００２７】
上蓋１４０には間隔を有して係止歯１４１が設けられ、ベース１１０には対応して突起１１１が形成され、係止歯１４１は突起１１１の両側を係止して設けられ、上蓋１４０とベース１１０は係止歯１４１と突起１１１を通じて互いに係合され、両者は密着して係合されることにより、押えキー１５０の揺動を回避し、更に押えキー１５０の傾斜または係止を回避することができる。
【００２８】
上蓋１４０とベース１１０は係合して第１収容室と第２収容室を形成し、押えキー１５０は第２収容室内に位置し、第１平衝ロッド１７１ａと第２平衝ロッド１７２ａは第２収容室に位置する。押えキー１５０とベース１１０の間の接触面積が小さく、第１平衝ロッド１７１ａと第２平衝ロッド１７２ａは押えキー１５０の傾斜を回避すると同時に、押えキー１５０の上下移動時の摩擦力が小さく、操作しやすくなる。
【００２９】
押えキー１５０の中央には位置決め部が設けられ、ベース１１０には対応して位置決め孔が設けられ、位置決め部は位置決め孔が締付け付けられ、これにより、押えキー１５０の上下移動時の傾斜による係止を回避して、使用における柔軟性を保証する。
【００３０】
押えキー１５０には案内孔１５１が設けられ、対応して、ベース１１０には案内柱１１２が設けられており、案内孔１５１は案内柱１１２の外側を覆って設けられて案内柱１１２に沿って上下運動する。案内孔１５１は案内柱１１２の外側を覆って設けられ、中心から押えキー１５０を位置決めして、押えキー１５０の軸方向運動を保証し、更に押えキー１５０の上下移動時の傾斜または係止を回避して、使用における柔軟性を保証する。
【００３１】
本考案の作業原理は以下のとおりである。
押えキー１５０が押えられて下へ移動する過程で、２つの連結フレームにより押えキー１５０を位置決めし、これにより、押圧過程で、キースイッチを押圧するとき、その操作しやすく、タッチが順調で、指でのタッチ感がよいことを保証する。同時に、案内孔１５１は案内柱１１２の外側を覆って設けられ、中心から押えキー１５０を位置決めし、位置決め部が位置決め孔内に締付けられることにより、両側から押えキー１５０を位置決めし、押えキー１５０の軸方向運動を保証し、更に押えキー１５０の上下移動時の傾斜または係止を回避して、使用における柔軟性を保証する。
【００３２】
上述したように、前記実施例は本考案のいくつかの実施形態を示し、具体的に説明しているが、本考案の権利範囲を制限するためのものではないと理解すべきである。当業者にとって、本考案の思想から離れない前提で、いくつからの変形と改善を行うことができるが、これらは全て本考案の保護範囲内に属するべきである。
【図１】
0003207387.tif 000003
【図２】
0003207387.tif 000004
【図３】
0003207387.tif 000005
【図４】
0003207387.tif 000006
【図５】
0003207387.tif 000007